(57)【要約】【課題】筐体正面の第１の操作部と直交する筐体側面で、アンテナ給電部の近傍に第２の操作部を配置しても人体の接近によるアンテナ性能の劣化が少ない携帯無線機を提供する。【解決手段】第２の操作部２３０のグランドを、接続部２３３以外に１点以上で、接続部２３３から所定の距離以上離して、回路基板２４０のグランド２４１に電気的に接続するようにした。これにより、アンテナ給電部２５１を、接続部２３３からアンテナ動作周波数の１／４波長以内に配置しても、第２の操作部２３０におけるアンテナ電流の分布を低減できる。したがって、第２の操作部２３０に使用者の指が触れてもアンテナ素子２５０に供給する電流に影響を与えることが略無くなり、アンテナ性能が改善される。【選択図】図１
2011244145.tif 000002
【特許請求の範囲】
【請求項１】
筐体と、前記筐体内に配置される回路基板と、第１の操作部と、を備える携帯無線機において、
前記第１の操作部と直交する側面に配置された第２の操作部と、
前記筐体内で前記第２の操作部と前記回路基板とを接続する接続部と、
前記接続部と１／４波長以内に配置されるアンテナ給電部と、
前記アンテナ給電部から接続されるアンテナ素子と、を備え、
前記第２の操作部のグランドは、前記接続部以外に１点以上で前記回路基板のグランドへ電気的に接続されることを特徴とする携帯無線機。
【請求項２】
前記第２の操作部のグランドは、前記接続部と所定の距離以上離して、前記回路基板のグランドへ電気的に接続されることを特徴とする請求項１に記載の携帯無線機。
【請求項３】
前記所定の距離は、前記第２の操作部のグランドの全体長の半分以上であることを特徴とする請求項２に記載の携帯無線機。
【請求項４】
前記第２の操作部のグランドは、前記第２の操作部の長手方向端部で、前記回路基板のグランドへ電気的に接続されることを特徴とする請求項１乃至請求項３のいずれかに記載の携帯無線機。
【発明の詳細な説明】
【技術分野】
【０００１】
本発明は、携帯電話機等の携帯無線機に関し、特に筐体側面に操作部（以下に示す第２の操作部）が配置された携帯無線機に関する。
【背景技術】
【０００２】
携帯電話機においては、近年の多機能化に伴い、筐体正面側の第１の操作部以外に、筐体側面に第２の操作部が実装されるようになっている。図３に従来の折畳み式の携帯電話機２００の概観を示す。同図に示すように、下筐体２０１の正面に配置された第１の操作部（一般的に“キー操作部”と呼ばれる）２２０と直交する筐体側面２０２に第２の操作部（一般的に“サイドキー”と呼ばれる）２３０が配置されている。
【０００３】
図４は、図３における第２の操作部２３０が配置されている下筐体２０１の内部構造を示す斜視図である。同図において、第２の操作部２３０は、スイッチ部２３１と、一端がスイッチ部２３１に接続されたフレキシブル基板２３２と、フレキシブル基板２３２の他端を回路基板２４０に接続する接続部２３３とから構成されている。フレキシブル基板２３２は、下筐体２０１内に配置された回路基板２４０から折り曲げられて、下筐体２０１の側面２０２に取付けられたスイッチ部２３１に接続される。
【０００４】
また、従来の携帯無線機において、垂直と水平の両偏波を効率良く送受信できるようにしたものがある。例えば特許文献１で開示されたアンテナ装置は、図５の斜視図に示すように、アンテナ素子３００の近傍に該アンテナ素子３００と直交する向きに無給電素子３１０を配置している。なお、アンテナ素子３００及び無給電素子３１０は導体板３２０上に形成されている。また、アンテナ素子３００の無給電素子３１０と接近する側の端には給電端子３０１が接続されており、無給電素子３１０のアンテナ素子３００と接近する側の端には接地端子３１１が接続されている。アンテナ素子３００と無給電素子３１０を直交配置することで垂直と水平の両偏波を効率良く送受信できるようになる。
【先行技術文献】
【特許文献】
【０００５】
【特許文献１】特開２００４−２６０４３４号公報
【発明の概要】
【発明が解決しようとする課題】
【０００６】
しかしながら、上述した筐体側面２０２に第２の操作部２３０を備えた携帯電話機２００においては、使用者が第２の操作部２３０を操作する際に、使用者の指の接触によってアンテナ性能が劣化するという課題がある。すなわち、図４に示すように、第２の操作部２３０が下筐体２０１内のアンテナ素子２５０のアンテナ給電部２５１の近傍にあると、第２の操作部２３０のフレキシブル基板２３２がアンテナ動作周波数で共振し、フレキシブル基板２３２に電流Ｉｂが分布する。このような状態で、第２の操作部２３０に使用者の指が触れると、アンテナ素子２５０に供給する電流Ｉａに影響を与えてしまい、アンテナ性能が劣化する。
【０００７】
また、上述した特許文献１で開示されたアンテナ装置でも、使用者の手が無給電素子３１０に接触するとアンテナ性能劣化が生じるという課題がある。
【０００８】
本発明は、係る事情に鑑みてなされたものであり、筐体正面の第１の操作部と直交する筐体側面で、アンテナ給電部の近傍に第２の操作部を配置しても人体の接触によるアンテナ性能の劣化が少ない携帯無線機を提供することを目的とする。
【課題を解決するための手段】
【０００９】
本発明の携帯無線機は、筐体と、前記筐体内に配置される回路基板と、第１の操作部と、を備える携帯無線機において、前記第１の操作部と直交する側面に配置された第２の操作部と、前記筐体内で前記第２の操作部と前記回路基板とを接続する接続部と、前記接続部と１／４波長以内に配置されるアンテナ給電部と、前記アンテナ給電部から接続されるアンテナ素子と、を備え、前記第２の操作部のグランドは、前記接続部以外に１点以上で前記回路基板のグランドへ電気的に接続されることを特徴とする。
【００１０】
上記構成によれば、アンテナ給電部が、接続部からアンテナ動作周波数の１／４波長以内に配置されることで、第２の操作部（フレキシブル基板を含む）がアンテナの動作周波数で共振し、電流が分布することになるが、第２の操作部のグランドを、接続部以外に１点以上で回路基板のグランドに電気的に接続することで、第２の操作部におけるアンテナ電流の分布が低減する。これにより、第２の操作部に使用者の指が触れても、アンテナ素子に供給する電流に影響を与えることが略無くなり、アンテナ性能が改善される。
【００１１】
上記構成において、前記第２の操作部のグランドは、前記接続部と所定の距離以上離して、前記回路基板のグランドへ電気的に接続されることを特徴とする。
【００１２】
上記構成によれば、第２の操作部のグランドを、接続部から所定の距離以上離して、回路基板のグランドへ電気的に接続することで、第２の操作部におけるアンテナ電流の分布を効果的に低減できる。
【００１３】
上記構成において、前記所定の距離は、前記第２の操作部のグランドの全体長の半分以上であることを特徴とする。
【００１４】
上記構成によれば、第２の操作部におけるアンテナ電流の分布を効果的に低減できる。
【００１５】
上記構成において、前記第２の操作部のグランドは、前記第２の操作部の長手方向端部で、前記回路基板のグランドへ電気的に接続されることを特徴とする。
【００１６】
上記構成によれば、第２の操作部におけるアンテナ電流の分布を効果的に低減できる。
【発明の効果】
【００１７】
本発明によれば、第１の操作部と直交する側面に第２の操作部を配置するようにしても、第２の操作部におけるアンテナ電流の分布を低減でき、アンテナ性能の改善が図れる。
【図面の簡単な説明】
【００１８】
【図１】本発明の一実施の形態に係る携帯無線機の第２の操作部配置部分の筐体内部を示す斜視図
【図２】図１の筐体内部を示す正面図
【図３】従来の折畳み式の携帯電話機の概観を示す斜視図
【図４】従来の携帯無線機の第２の操作部配置部分の筐体内部を示す斜視図
【図５】特許文献１で開示されたアンテナ装置の概略構成を示す斜視図
【発明を実施するための形態】
【００１９】
以下、本発明を実施するための好適な実施の形態について、図面を参照して詳細に説明する。
【００２０】
図１は、本発明の一実施の形態に係る携帯無線機の第２の操作部配置部分の筐体内部を示す斜視図である。また、図２は、図１の筐体内部を示す正面図である。なお、図１及び図２において、前述した図４と共通する部分には同一の符号を付与している。また、本実施の形態に係る携帯無線機は、図３に示す従来の携帯電話機と同様の折畳み式の携帯電話機であるので、説明上必要な場合に図３を援用するとともに、符号１００を付与することとする。
【００２１】
図１において、本実施の形態に係る携帯無線機１００の第２の操作部２３０は、第１の操作部２２０（図３参照）と直交する側面すなわち下筐体２０１の側面（筐体側面）２０２に配置されている。第２の操作部２３０は、スイッチ部２３１と、一端がスイッチ部２３１に接続されたフレキシブル基板２３２と、フレキシブル基板２３２の他端を回路基板２４０に接続する接続部２３３とから構成されている。フレキシブル基板２３２は、下筐体２０１内に配置された回路基板２４０から折り曲げられて、下筐体２０１の側面２０２に固定されたスイッチ部２３１に接続される。
【００２２】
回路基板２４０上のアンテナ給電部２５１は、第２の操作部２３０の接続部２３３と動作周波数の１／４波長以内に配置されている。すなわち、アンテナ給電部２５１と接続部２３３とがアンテナの動作周波数の１／４波長以内の間隔Ｌで配置されている。アンテナ給電部２５１と第２の操作部２３０の接続部２３３とを間隔Ｌで配置することで、第２の操作部２３０のフレキシブル基板２３２がアンテナの動作周波数で共振し、電流が分布することになる。
【００２３】
第２の操作部２３０のグランドは、接続部２３３から所定の距離以上離れて、第２の操作部２３０のフレキシブル基板２３２のグランドを延設したグランド延設部２３２１によって回路基板２４０のグランド２４１へ電気的に接続されている。接続部２３３から離す距離としては、例えば第２の操作部２３０のグランドの全体長の半分以上とする。本実施の形態では、グランド延設部２３２１を第２の操作部２３０の長手方向端部に設けているが、前記条件（第２の操作部２３０のグランドの全体長の半分以上とする）を満足した上でそのような箇所に設けている。なお、図示しないが、回路基板２４０のグランド２４１のグランド延設部２３２１と対向する部分にバネ部材が設けられており、このバネ部材によってグランド延設部２３２１との接続を確実にしている。
【００２４】
第２の操作部２３０のグランドを回路基板２４０のグランド２４１へ電気的に接続することで、アンテナ給電部２５１と接続部２３３とをアンテナの動作周波数の１／４波長以内の間隔Ｌで配置しても、フレキシブル基板２３２はアンテナの動作周波数で共振することなく、アンテナ電流の分布が低減する。これにより、第２の操作部２３０に使用者の指が触れてもアンテナ素子２５０に供給する電流に影響を与えることが略無くなり、アンテナ性能の改善が図れる。
【００２５】
このように本実施の形態に係る携帯無線機１００によれば、第２の操作部２３０のグランドを、接続部２３３以外に１点以上で、接続部２３３から所定の距離以上離して、回路基板２４０のグランド２４１に電気的に接続するようにしたので、アンテナ給電部２５１を、接続部２３３からアンテナ動作周波数の１／４波長以内に配置しても、第２の操作部２３０におけるアンテナ電流の分布を低減できる。したがって、第２の操作部２３０に使用者の指が触れてもアンテナ素子２５０に供給する電流に影響を与えることが略無くなり、アンテナ性能が改善される。特に、第２の操作部２３０のグランドを、接続部２３３から、第２の操作部２３０のグランドの全体長の半分の距離以上離して、回路基板２４０のグランド２４１へ電気的に接続することで、第２の操作部２３０におけるアンテナ電流の分布を効果的に低減できる。
【００２６】
なお、上記実施の形態では、第２の操作部２３０のグランドの回路基板２４０のグランド２４１への接続を１つのグランド延設部２３２１で行うようにしたが、当該接続を１つ以上で行うようにしても良い。但し、接続部２３３から離す距離は上記条件を満足する必要がある。また、第２の操作部２３０のグランドと回路基板２４０のグランド２４１との接続を、フレキシブル基板２３２のグランドを延設したグランド延設部２３２１で行う以外に、別途専用の部材を用いて接続するようにしてよい。
【００２７】
また、上記実施の形態では、第２の操作部２３０のグランドを直接回路基板２４０のグランド２４１に接続するようにしたが、所定の容量以上の容量を介して接続するようにしてもよい。当該容量を入れることで上述したバネ部材を省略することができる。容量を介して接続するようにしても同等の効果が得られることは言うまでもない。
【００２８】
また、上記実施の形態では、携帯無線機として、折畳み式の携帯電話機を挙げたが、１つの筐体で構成した一体型の携帯電話機や、２つの筐体からなり、スライド方向で開閉を行うスライド式の携帯電話機でも構わない。
【産業上の利用可能性】
【００２９】
本発明は、第１の操作部と直交する側面に第２の操作部を配置するようにしても、第２の操作部におけるアンテナ電流の分布を低減でき、アンテ性能の改善が図れるといった効果を有し、サイドキーと呼ばれる筐体側面に配置する操作部を備えた携帯無線機への適用が可能である。
【符号の説明】
【００３０】
１００  携帯無線機
２０１  下筐体
２０２  筐体側面
２３０  第２の操作部
２３１  スイッチ部
２３２  フレキシブル基板
２３３  接続部
２４０  回路基板
２４１  回路基板のグランド
２５０  アンテナ素子
２５１  アンテナ給電部
２３２１  グランド延設部
【図１】
2011244145.tif 000003
【図２】
2011244145.tif 000004
【図３】
2011244145.tif 000005
【図４】
2011244145.tif 000006
【図５】
2011244145.tif 000007